(57)【要約】  異なる目的で異なる時に、異なるタイプのシンボル、例えば異なる特徴的なＯＦＤＭシンボル、を用いる通信を実現する方法と装置が説明される。第１のタイプのシンボルは、送信要求の信号、および／または、送信応答要求の信号を伝えることを含む、制御シグナリングのために使用される。第２のタイプのシンボルは、ユーザ・データ、例えばトラフィック信号、を伝えるために使用される。第１のタイプのシンボルのためのシンボル期間は、第２のタイプのシンボルのためのシンボル期間よりも長い。第１のタイプのシンボルのためのトーン間隔は、第２のタイプのシンボルのためのトーン間隔よりも大きい。方法と装置は、ピア・ツー・ピア通信デバイスが半二重モードで動作する、ピア・ツー・ピア通信システムに十分適している。
2011502422.tif 000002
【特許請求の範囲】
【請求項１】
第２の通信デバイスと通信するために第１の通信デバイスを動作させる方法であって、
第１のシンボル期間を持つ第１のシンボル上で前記第２の通信デバイスに対して第１の制御信号を送信することと、
第２のシンボル期間を持つ第２のシンボル上で前記第２の通信デバイスに対してユーザ・データを送信すること、ただし前記第１シンボル期間と第２のシンボル期間が異なる、
を含む方法。
【請求項２】
前記第２のシンボル期間が前記第１のシンボル期間より長い、請求項１の方法。
【請求項３】
前記第２のシンボル期間が前記第１のシンボルよりも少なくとも５倍だけ長い、請求項２の方法。
【請求項４】
前記第１のシンボルは第１の複数の隣接するトーンの１個を含み、
前記第２のシンボルは第２の複数の隣接するトーンの１個を含み、
前記第１の複数のトーンにおけるトーンは、前記第２の複数のトーンにおけるトーンよりも周波数においてさらに間隔が離れている、請求項３の方法。
【請求項５】
前記第１の制御信号が送信要求である、請求項４の方法。
【請求項６】
前記送信要求が、前記第２のシンボル期間を含むデータ送信インターバルの間に送信する要求である請求項５の方法。
【請求項７】
前記第１のシンボルは複数のシンボル期間を含む制御期間内において生じ、前記第１のデバイスは、前記制御期間の間では、前記複数のシンボル期間のサブセットにおいてのみ、送信することを許可されていて、前記サブセットは、前記制御期間における前記シンボル期間のせいぜい半分に相当する、請求項２の方法。
【請求項８】
前記第１のデバイスが送信することを許可されない間の、前記制御期間におけるいくつかのシンボル時間期間の間に、他のデバイスからの信号を監視することをさらに含む、請求項７の方法。
【請求項９】
監視することが第２のデバイスからの信号を検出することである、請求項８の方法。
【請求項１０】
監視された信号を受信されていたデバイスに対して前記第１のデバイスにより引き起こされ得る干渉の量を決定することと、
前記第２のシンボル上でユーザ・データを送信するのに先立って、前記監視信号が受信されていた前記デバイスに対して前記第１のデバイスにより引き起こされ得る前記干渉が、送信するか否かを決定するために使用される閾値レベル以下であることを決定すること、
をさらに含む、請求項８の方法。
【請求項１１】
前記第１と第２のデバイスがピア・ツー・ピア通信デバイスであり、前記第１と第２のシンボルがＯＦＤＭシンボルである、請求項２の方法。
【請求項１２】
制御情報を通信するために使用される第１のタイプのシンボルを発生するための第１のタイプのシンボル発生モジュールであって、前記第１のタイプのシンボルが第１のシンボル期間を持つ、第１のタイプのシンボル発生モジュールと、
第2のタイプのシンボルが第２のシンボル期間を持ち、前記第１と第２のシンボル期間が異なっている、第２のタイプのシンボルを発生するための第２のタイプのシンボル発生モジュールと、
制御情報を通信する前記第１のタイプのシンボルと、ユーザ・データを通信する前記第２のタイプのシンボルを送信するための無線送信機とを、
含む第１の通信デバイス。
【請求項１３】
前記第２のシンボル期間が前記第１のシンボル期間より長い、請求項１２の第１の通信デバイス。
【請求項１４】
前記第２のシンボル期間が前記第１のシンボル期間よりも少なくとも５倍長い、請求項１３の第１の通信デバイス。
【請求項１５】
前記第１のタイプのシンボルは第１の複数の隣接するトーンの１個を含み、
前記第２のタイプのシンボルは第２の複数の隣接するトーンの１個を含み、
前記第１の複数のトーンにおけるトーンは前記第２の複数のトーンにおけるトーンよりも周波数においてさらに間隔が離れている、請求項１４の第１の通信デバイス。
【請求項１６】
前記第１のシンボル発生モジュールが、単一トーンの送信要求信号を発生する送信要求信号発生モジュールを含む、請求項１５の第１の通信デバイス。
【請求項１７】
前記単一トーンの送信要求信号が、前記シンボル送信の時間期間を含むデータ送信インターバルの間に送信するための要求である、請求項１６の第１の通信デバイス。
【請求項１８】
記憶されているタイミング構造情報を含むメモリをさらに含み、
前記記憶されているタイミング構造情報が、前記第１のシンボルは複数のシンボル期間を含む制御期間内において生じ、前記第１の通信デバイスは前記制御期間の間では前記複数のシンボル期間のサブセットにおいてのみ送信することを許可されていて、前記サブセットは前記制御期間における前記シンボル期間のせいぜい半分に相当することを含む、請求項１３の第１の通信デバイス。
【請求項１９】
前記第１の通信デバイスが送信することを許可されない間の、前記制御期間におけるいくつかのシンボルの時間期間の間に、他のデバイスからの信号を監視するための監視モジュールをさらに含む、請求項１８の第１の通信デバイス。
【請求項２０】
前記監視モジュールが第２のデバイスからの信号を検出するように監視する、請求項１９の第１の通信デバイス。
【請求項２１】
監視信号が受信されたデバイスに対して、前記第１の通信デバイスにより引き起こされ得る干渉の量を決定するための干渉決定モジュールと、
前記第２のシンボル上でユーザ・データを送信するのに先立って、前記監視信号が受信された前記デバイスに対して前記第１の通信デバイスにより引き起こされ得る前記干渉が、送信するか否かを決定するために使用される閾値レベル以下であることを調べるための閾値決定モジュールと、
をさらに含む、請求項１９の第１の通信デバイス。
【請求項２２】
前記第１のデバイスが第２の通信デバイスと通信し、
前記第１と第２のデバイスがピア・ツー・ピア通信デバイスであり、
前記第１と第２のシンボルがＯＦＤＭシンボルである、
請求項１３の通信デバイス。
【請求項２３】
制御情報を通信するために使用される第１のタイプのシンボルを発生するための第１のタイプのシンボル発生手段であって、前記第１のタイプのシンボルが第１のシンボル期間を持つ、第１のタイプのシンボル発生手段と、
第２のタイプのシンボルが第２のシンボル期間を持ち、前記第１と第２のシンボル期間が異なっている、第２のタイプのシンボルを発生するための第２のタイプのシンボル発生手段と、
制御情報を通信する前記第１のタイプのシンボルと、ユーザ・データを通信する前記第２のタイプのシンボルを送信するための無線送信機手段、
を含む第１の通信デバイス。
【請求項２４】
前記第２のシンボル期間が前記第１のシンボル期間より長い、請求項２３の通信デバイス。
【請求項２５】
前記第２のシンボル期間が前記第１のシンボル期間よりも少なくとも５倍長い、請求項２４の通信デバイス。
【請求項２６】
第２の通信デバイスと通信する方法を実行するように通信デバイスを制御するための機械実行可能な命令を収録するコンピュータ可読媒体であって、前記方法は、
第１のシンボル期間を持つ第１のシンボル上に前記第２の通信デバイスに対して第１の制御信号を送信することと、
第２のシンボル期間を持つ第２のシンボル上で前記第２の通信デバイスに対してユーザ・データを送信することであって、前記第１と第２のシンボル期間が異なる、前記第２の通信デバイスに対してユーザ・データを送信することと
を含む、コンピュータ可読媒体。
【請求項２７】
前記第２のシンボル期間が前記第１のシンボル期間より長い、請求項２６のコンピュータ可読媒体。
【請求項２８】
前記第２のシンボル期間が前記第１のシンボル期間よりも少なくとも５倍長い、請求項２７のコンピュータ可読媒体。
【請求項２９】
第２の通信デバイスと通信する方法を実行するように通信デバイスを制御するための機械実行可能な命令を収録するコンピュータ可読媒体であって、前記方法は、
第１のシンボル期間を持つ第１のシンボル上において前記第２の通信デバイスに対して第１の制御信号を送信することと、
第２のシンボル期間を持つ第２のシンボル上で前記第２の通信デバイスに対してユーザ・データを送信することであって、前記第１と第２のシンボル期間が異なる、前記第２の通信デバイスに対してユーザ・データを送信することと、
を含む、コンピュータ可読媒体。
【請求項３０】
前記第２のシンボル期間が前記第１のシンボル期間より長い、請求項２９のコンピュータ可読媒体。
【請求項３１】
前記第２のシンボル期間が前記第１のシンボル期間よりも少なくとも５倍長い、請求項３０のコンピュータ可読媒体。
【請求項３２】
第２の通信デバイスと通信する通信デバイスにおける使用のためのプロセッサであって、
第１のシンボル期間を持つ第１のシンボル上で前記第２の通信デバイスに対して第１の制御信号を送信し、
第２のシンボル期間を持つ第２のシンボル上で前記第２の通信デバイスに対してユーザ・データを送信する、ただし前記第１と第２のシンボル期間が異なる、
ように前記通信デバイスを制御するために構成されている前記プロセッサ、
を含む装置。
【請求項３３】
前記第２のシンボル期間が前記第１のシンボル期間より長い、請求項３２の装置。
【請求項３４】
前記第２のシンボル期間が前記第１のシンボル期間よりも少なくとも５倍長い、請求項３３の装置。
【請求項３５】
第１の通信デバイスと通信するために第２の通信デバイスを動作させる方法であって、
第１のシンボル期間を持つ第１のシンボル上において前記第１の通信デバイスから制御信号を受信することと、
第２のシンボル期間を持つ第２のシンボル上で前記第１の通信デバイスからユーザ・データを受信することであって、前記第１と第２のシンボル期間が異なる、前記第１の通信デバイスからユーザ・データを受信することと、
を含む方法。
【請求項３６】
前記第２のシンボル期間が前記第１のシンボル期間より長い、請求項３５の方法。
【請求項３７】
前記第２のシンボル期間が前記第１のシンボル期間よりも少なくとも５倍長い、請求項３６の方法。
【請求項３８】
前記第１のシンボルは第１の複数の隣接するトーンの１個を使用し、
前記第２のシンボルは、第２の複数の隣接するトーンの１個を使用し、
前記第１の複数のトーンにおけるトーンは前記第２の複数のトーンにおけるトーンよりも周波数においてさらに間隔が離れている、請求項３７の方法。
【請求項３９】
前記第１の制御信号が送信要求である、請求項３８の方法。
【請求項４０】
前記送信要求が前記第２のシンボル期間を含むデータ送信インターバルの間に送信する要求である、請求項３９の方法。
【請求項４１】
第１のシンボルの時間期間と等しいシンボルの時間期間を持ち、第１のシンボルの受信の後で前記受信した第２のシンボルの送信の前に生じる、第３のシンボル上に肯定応答を送信すること
をさらに含む、請求項３６の方法。
【請求項４２】
前記第３のシンボルは複数のシンボル期間を含む制御期間内において生じ、前記第２のデバイスは前記制御期間の間で前記複数のシンボル期間のサブセットにおいてのみ送信することを許可されていて、前記サブセットは前記制御期間における前記シンボル期間のせいぜい半分に相当する、請求項４１の方法。
【請求項４３】
前記第１のシンボルは複数のシンボル期間を含む制御期間内において生じ、前記第１のデバイスは前記制御期間の間で前記複数のシンボル期間のサブセットにおいてのみ送信することを許可されていて、前記サブセットは前記制御期間における前記シンボル期間のせいぜい半分に相当する、請求項４１の方法。
【請求項４４】
前記第１のデバイスが送信することを許可されない間の、前記制御期間におけるいくつかのシンボルの時間期間の間に、前記第１のデバイス以外のデバイスからの信号を監視すること、
をさらに含む、請求項４３の方法。
【請求項４５】
前記第１のデバイス以外の前記デバイスにより引き起こされ得る干渉の量を決定することと、
前記第３のシンボル上で前記肯定応答を送信するのに先立って、前記監視された信号が受信された前記第１のデバイス以外の前記デバイスにより引き起こされ得る前記干渉が、前記肯定応答を送信するか否かを決定するために使用される閾値レベル以下であることを決定すること、
をさらに含む、請求項４４の方法。
【請求項４６】
前記第１と第２のデバイスがピア・ツー・ピア通信デバイスであり、前記第１と第２のシンボルがＯＦＤＭシンボルである、請求項３６の方法。
【請求項４７】
前記第１のデバイスが通信することを許可されている間の、前記制御期間におけるシンボルの時間期間が、前記第１のデバイスが送信を許可されていない間の、前期制御期間におけるシンボルの時間期間とインターリーブされている、請求項４４の方法。
【請求項４８】
第１の通信デバイスと通信するための第２の通信デバイスであって、
制御信号とユーザ・データ信号を受信するための受信機と、
制御情報を通信するために使用される第１のタイプのシンボルを復元するための第１のタイプのシンボル復元モジュールであって、前記第１のタイプのシンボルが第１のシンボル期間を持っている、第１のタイプのシンボル復元モジュールと、
ユーザ・データを通信するために使用される第２のタイプのシンボルを復元するための第２のタイプのシンボル復元モジュールであって、前記第２のタイプのシンボルが第２のシンボル期間を持っていて、前記第１と第２のシンボル期間は異なっている、第２のタイプのシンボル復元モジュールと、
を含む、前記第２の通信デバイス。
【請求項４９】
前記第２のシンボル期間が前記第１のシンボル期間より長い、請求項４８の第２の通信デバイス。
【請求項５０】
タイミング構造の情報を含むメモリをさらに含み、
前記第２のシンボル期間が前記第１のシンボル期間よりも少なくとも５倍長い、請求項４９の第２の通信デバイス。
【請求項５１】
前記メモリに記憶される周波数構造情報をさらに含み、
前記第１のシンボルは第１の複数の隣接するトーンの１個を使用し、
前記第２のシンボルは第２の複数の隣接するトーンの１個を使用し、
前記第１の複数のトーンにおけるトーンは前記第２の複数のトーンにおけるトーンよりも周波数においてさらに離れている、請求項５０の第２の通信デバイス。
【請求項５２】
前記第１のシンボル復元モジュールが、送信要求を復元するために送信要求復元モジュールを含む、請求項５１の第２の通信デバイス。
【請求項５３】
前記送信要求が、前記第２のシンボル期間を含むデータ送信インターバルの間に送信する要求である、請求項５２の第２の通信デバイス。
【請求項５４】
送信要求の受理信号を発生するための肯定応答発生モジュールと、
前記第１のシンボルの時間期間と等しいシンボルの時間期間を持ち、前記第１のシンボルの受信の後で、前記第２のシンボルの受信の前に生じる、第３のシンボル上に前記送信要求の受理信号の肯定応答を送信するための無線送信機モジュールと、
をさらに含む、請求項４９の通信デバイス。
【請求項５５】
前記記憶されているタイミング構造の情報が、制御期間内の要求シンボルと応答シンボルを識別する情報を含み、前記要求シンボルと応答シンボルが第１のタイプであり、通信制御の情報である、請求項５４の第２の通信デバイス。
【請求項５６】
前記第１のデバイスが送信することを許可されていない間の、前記制御期間におけるいくつかのシンボルの時間期間の間に、前記第１のデバイス以外のデバイスからの信号を監視するための監視モジュールを、
さらに含む、請求項５５の第２の通信デバイス。
【請求項５７】
前記第１のデバイス以外の前記デバイスにより引き起こされ得る干渉の量を決定するための干渉決定モジュールと、
前記第３のシンボル上で前記肯定応答を送信するのに先立って、そこから前記監視信号が受信されていた前記第1のデバイス以外の前記デバイスにより引き起こされ得る前記干渉が、前記肯定応答を送信するか否かを決定するために使用される閾値レベル以下であるかどうかを決定するための閾値決定モジュール、
をさらに含む、請求項５６の第２の通信デバイス。
【請求項５８】
前記第１と第２のデバイスがピア・ツー・ピア通信デバイスであり、前記第１と第２のシンボルがＯＦＤＭシンボルである、請求項４９の第２の通信デバイス。
【請求項５９】
第１の通信デバイスと通信するための第２の通信デバイスであって、
制御信号とユーザ・データ信号を受信するための受信機手段と、
制御情報を通信するために使用される第１のタイプのシンボルを復元するための第１のタイプのシンボル復元手段であって、前記第１のタイプのシンボルが、第１のシンボル期間を持っている、第１のタイプのシンボル復元手段と、
ユーザ・データを通信するために使用される第２のタイプのシンボルを復元するための第２のタイプのシンボル復元手段であって、前記第２のタイプのシンボルが第２のシンボル期間を持っており、前記第１と第２のシンボル期間は異なっている、第２のタイプのシンボル復元手段と、
を含む、前記第２の通信デバイス。
【請求項６０】
前記第２のシンボル期間が前記第１のシンボル期間より長い、請求項５９の第２の通信デバイス。
【請求項６１】
記憶されているタイミング構造の情報を含むメモリ手段をさらに含み、
前記第２のシンボル期間が前記第１のシンボル期間よりも少なくとも５倍長い、請求項６０の第２の通信デバイス。
【請求項６２】
第１の通信デバイスと通信する方法を実行するために、第２の通信デバイスを制御するための機械実行可能な命令を収録するコンピュータ可読媒体であって、前記方法は、
第１のシンボル期間を持つ第１のシンボル上で、前記第１の通信デバイスから制御信号を受信することと、
第２のシンボル期間を持つ第２のシンボル上で前記第１の通信デバイスからユーザ・データを受信することであって、前記第１と第２のシンボル期間が異なる、前記第１の通信デバイスからユーザ・データを受信することと、
を含む、コンピュータ可読媒体。
【請求項６３】
前記第２のシンボル期間が前記第１のシンボル期間より長い、請求項６２のコンピュータ可読媒体。
【請求項６４】
前記第２のシンボル期間が前記第１のシンボル期間よりも少なくとも５倍長い、請求項６３のコンピュータ可読媒体。
【請求項６５】
第１の通信デバイスと通信する第２の通信デバイスにおける使用のためのプロセッサであって、
第１のシンボル期間を持つ第１のシンボル上で前記第１の通信デバイスから制御信号を受信するように、および、
前記第１のシンボル期間と異なる第２のシンボル期間を持つ第２のシンボル上で、前記第１の通信デバイスからユーザ・データを受信するように、
前記第２の通信デバイスを制御するように、構成されている前記プロセッサ、
を含む装置。
【請求項６６】
前記第２のシンボル期間が前記第１のシンボル期間より長い、請求項６５の装置。
【請求項６７】
前記第２のシンボル期間が前記第１のシンボル期間よりも少なくとも５倍長い、請求項６６の装置。
【発明の詳細な説明】
【技術分野】
【０００１】
種々の実施例は、無線通信システムに、さらに詳細には、ＯＦＤＭシンボルを利用するピア・ツー・ピア通信システム向けられている。
【背景技術】
【０００２】
種々の無線通信システムは、情報を通信するために、ＯＦＤＭシンボルを使用する。通信されている情報のタイプに関わりのない、均一なＯＦＤＭシンボル構造、例えば、同じトーン間隔、同じ隣接トーンの組、および、同じシンボルの持続期間、を利用して、そのようなシステムを構築し、動作させることは便利であるである。しかしながら、１つの大きさのＯＦＤＭシンボルのインプリメンテーションは、効率の観点からは、必ずしも最良の手法ではない。異なるタイプの情報、および／または、異なる状況は、異なるタイプの特性のＯＦＤＭシンボルを用いて通信される方が、より適し得る。通信されている情報のタイプ、および／または、状況の必要性に、より適するように、異なる時に、異なるタイプの特性のＯＦＤＭシンボルを利用する方法と装置が開発されるとすれば、それは好都合であろう。無線通信システムデバイスに、送信時間を限定し、および／または、干渉についてより多く知らされることを可能にした、方法と装置も、また、有益であり得る。
【発明の概要】
【０００３】
異なる目的に対して異なる時に、異なるタイプのシンボル、例えば、異なる特性のＯＦＤＭシンボルを使用する通信を実現する方法と装置が説明される。第１のタイプのシンボルは、送信要求の信号、および／または、送信要求応答の信号を伝えることを含む、制御シグナリングのために使用される。第２のタイプのシンボルは、ユーザ・データ、例えば、トラフィック信号、を伝えるために使用される。第１のタイプのシンボルのためのシンボル期間は、第２のタイプのシンボルのためのシンボル期間よりも長い。第１のタイプのシンボルのためのトーン間隔は、第２のタイプのシンボルのためのトーン間隔よりも大きい。説明される方法と装置は、ピア・ツー・ピア通信デバイスが、半二重モードで動作し、共有トラフィックエアリンク資源を利用するか否かを決定する、ピア・ツー・ピア通信システムに、十分に適している。種々の実施例が、ピア・ツー・ピア無線通信デバイスによる、干渉情報の収集と推定を容易にする。
【０００４】
第２の通信デバイスと通信するために、第１の通信デバイスを動作させる典型的な方法は、種々の実施例に従って、第１と第２のシンボル期間が異なっていて、第１のシンボル期間を持つ第１のシンボル上で、第２の通信デバイスに、第１の制御信号を送信することと、第２のシンボル期間を持つ第２のシンボル上で、第２の通信デバイスに、ユーザ・データを送信することを含む。典型的な通信デバイスは、種々の実施例に従って、制御情報を通信するために使用される第１のタイプのシンボルを発生するためであって、前記第１のタイプのシンボルが第１のシンボル期間を持つ、第１のタイプのシンボル発生モジュールと、第２のタイプのシンボルが第２のシンボル期間を持ち、前記第１と第２のシンボル期間が異なっている、第２のタイプのシンボルを発生するための第２のタイプのシンボル発生モジュールと、制御情報を通信する第１のタイプのシンボルと、ユーザ・データを通信する第２のタイプのシンボルを送信するための無線送信機を含む。
【０００５】
第１の通信デバイスと通信するために、第２の通信デバイスを動作させる典型的な方法は、種々の実施例に従って、第１と第２のシンボル期間が異なっていて、第１のシンボル期間を持つ第１のシンボル上で、第１の通信デバイスからの制御信号を受信することと、第２のシンボル期間を持つ第２のシンボル上で、第１の通信デバイスからのユーザ・データを受信することを含む。第１の通信デバイスと通信するための第２の通信デバイスは、種々の実施例において、制御信号とユーザ・データ信号を受信するための受信機と、制御情報を通信するために使用される第１のタイプのシンボルを復元するためであって、第１のタイプのシンボルが第１のシンボル期間を持っている、第１のタイプのシンボル復元モジュールと、ユーザ・データを通信するために使用される第２のタイプのシンボルを復元するためであって、前記第２のタイプのシンボルが第２のシンボル期間を持っていて、第１と第２のシンボル期間は異なっている、第２のタイプのシンボル復元モジュールを含む。
【０００６】
種々の実施例は上述の概要において、論じられているが、全ての実施例が必ずしも同じ特徴を含まないし、上述のいくつかの特徴は、いくつかの実施例においては、必要ではないが、望ましいことがあり得ることが認識されるべきである。多くの追加の特徴、実施例および利点が、以下の詳細な説明において論じられる。
【図面の簡単な説明】
【０００７】
【図１】図１は、種々の実施例に従う典型的なピア・ツー・ピア無線通信システムの図である。
【図２】図２は、種々の実施例に従う典型的なピア・ツー・ピアのトラフィック・スロットの図である。
【図３】図３は、種々の実施例、例えば、第１のデバイスが、スロットにおいてトラフィックを送信したいが、第２のデバイスはしたくない状況下、または、両方のデバイスがトラフィックを送信することを要求し得るが、第１のデバイスに優先権がある状況下、に従って、ピア・ツー・ピア・トラフィックをサポートするための、ピア・ツー・ピアモバイル通信デバイスと、デバイスの間で交換される典型的なシグナリングを示す図である。
【図４】図４は、ピア・ツー・ピアの繰り返しタイミング構造における、典型的なユーザ・スケジューリング部分、および、ユーザ・スケジューリング部分のエアリンク資源の典型的な区画を示す図である。
【図５】図５は、種々の実施例に従って、第２の通信デバイスと通信するために、第１の通信デバイスを動作させる、典型的な方法のフローチャートである。
【図６】図６は、典型的な通信デバイス、例えば、種々の実施例に従う、ピア・ツー・ピア通信をサポートする無線モバイル・ノード、の図である。
【図７】図７は、種々の実施例に従って、第１の通信デバイスと通信するために、第２の通信デバイスを動作させる、典型的な方法のフローチャートである。
【図８】図８は、種々の実施例に従う、典型的な第２の通信デバイス、例えば、ピア・ツー・ピア通信をサポートする無線モバイル・ノード、の図である。
【詳細な説明】
【０００８】
図１は、種々の実施例に従う、典型的なピア・ツー・ピア無線通信システム１００の図である。典型的な無線通信システム１００は、複数個の無線端末、例えば、ピア・ツー・ピア通信（ピア・ツー・ピア無線端末１  １０２、ピア・ツー・ピア無線端末２  １０４、ピア・ツー・ピア無線端末３  １０６、ピア・ツー・ピア無線端末４  １０８、ピア・ツー・ピア無線端末５  １１０、ピア・ツー・ピア無線端末６  １１２、．．．、ピア・ツー・ピア無線端末Ｎ  １１４）、をサポートするモジュール・ノードを含む。この例において、図１により表される時間に、ピア・ツー・ピア無線端末１  １０２は、矢印１１６により示されるように、ピア・ツー・ピア無線端末２  １０４と活動中の接続を持ち、ピア・ツー・ピア無線端末３  １０６は、矢印１１８により示されるように、ピア・ツー・ピア無線端末４  １０８と活動中の接続を持ち、ピア・ツー・ピア無線端末５  １１０は、矢印１２０により示されるように、ピア・ツー・ピア無線端末６  １１２と活動中の接続を持つ。
【０００９】
種々の実施例の特徴に従って、ピア・ツー・ピア無線リンク・トラフィック資源、例えば、ピア・ツー・ピア・トラフィック・セグメント、の上に送信するか否かの決定が、決定プロセスへの入力を持つ、送信ノードと受信ノードの両方とともに、分散された方法により実行される。種々の実施例において、同じピア・ツー・ピア無線リンク・トラフィック資源上に送信することを要求し得る、他のピア・ツー・ピア通信デバイスに関する干渉の考慮は、送信の決定を下す場合に考慮される。いくつかの、そのような実施例において、ピア・ツー・ピア・デバイスが活動中の接続を持っていない、ピア・ツー・ピア・デバイスからの、監視されているピア・ツー・ピア信号は、送信決定処理プロセスにおいて使用される。
【００１０】
いくつかの実施例において、トラフィック信号を送信するための送信要求に続いて、所期の受信デバイスと、所期の送信デバイスの両方は、他のピア・ツー・ピア・デバイスに譲り、要求されたピア・ツー・ピア・トラフィック・シグナリングに進むことを可能にすることを差し控える機会を持つ。
【００１１】
いくつかの実施例において、トラフィックを送信するという、送信デバイスの送信決定に続いて、および、前記トラフィックの送信の前に、送信デバイスはピア・ツー・ピア・パイロット信号を送信する。いくつかの、そのような実施例において、ピア・ツー・ピア・パイロット信号は、トラフィック・データのためのデータ・レートを決定するために使用されるべきであるかという情報を決定するために、受信デバイスにより利用される。いくつかの実施例において、トラフィック信号を伝える無線リンク資源は、また、トラフィックのデータ・レート情報を伝える。
【００１２】
種々の実施例の特徴に従って、異なるタイプのシンボル、例えば、異なるタイプのＯＦＤＭシンボルは、異なる時間において、例えば、繰り返すピア・ツー・ピアのタイミングと周波数構造に従って、使用される。例えば、第１のタイプのＯＦＤＭシンボルは、少なくともいくつかの制御信号のために使用され、第２のタイプのＯＦＤＭシンボルは、ユーザ・データ信号、例えばピア・ツー・ピア・トラフィック信号、のために使用される。いくつかの、そのような実施例において、第１のタイプのシンボルは、第２のタイプのシンボルよりも大きなトーン間隔を持ち、第１のタイプのシンボルは、第２のタイプのシンボルよりも短いシンボル期間を持つ。
【００１３】
図２は、種々の実施例に従う、典型的なピア・ツー・ピア・トラフィック・スロットの図２００である。図２００は、時間軸２０２に沿う、ピア・ツー・ピア・トラフィック・スロット（ピア・ツー・ピア・トラフィック・スロット１  ２０４、ピア・ツー・ピア・トラフィック・スロット２  ２０６、ピア・ツー・ピア・トラフィック・スロット３  ２０８、．．．、ピア・ツー・ピア・トラフィック・スロットＮ  ２１０）の典型的なシーケンスを示す。この典型的な実施例において、ピア・ツー・ピア・トラフィック・スロットＮ  ２１０に続く、ピア・ツー・ピア・トラフィック・スロット１  ２０４’により示される、繰り返しタイミング構造の一部として、シーケンスは繰り返す。
【００１４】
典型的な図２００は、例えば、論理表示である。いくつかの実施例において、論理構造の通信資源は、物理無線リンク資源に対応付けられる。例えば、ピア・ツー・ピア・トラフィック・スロット２０８は、ユーザ・スケジューリング部分２１２、レート・スケジューリング部分２１４、トラフィック部分２１６、および、肯定応答部分２１８を含むように示され、これらの部分と関連付けられている物理的な無線リンク資源は、それら、例えば処理時間を許容すること、の間の時間のギャップを持ち得る。いくつかの実施例において、トーン・ホッピングは、対応付けの一部として実行される。
【００１５】
各々の典型的なピア・ツー・ピア・トラフィック・スロットは、いくつかの実施例において、ユーザ・スケジューリング部分、レート・スケジューリング部分、トラフィック部分、および、肯定応答部分を含む。１個の典型的な実施例において、典型的なピア・ツー・ピア・トラフィック・スロット、例えば、ピア・ツー・ピア・トラフィック・スロット３  ２０８は、ユーザ・スケジューリング部分２１２、レート・スケジューリング部分２１４、トラフィック部分２１６、および、肯定応答部分２１８を含む。肯定応答部分２１８は、矢印２１９により示されるように、トラフィック部分２１６に相当する。ユーザ・スケジューリング部分２１２は、制御期間２１３の間に生じ、トラフィック部分２１６は、データ送信インターバル２１７の間に生じる。
【００１６】
ユーザ・スケジューリング部分２１２は、トラフィック送信要求の信号、例えばＴＸ要求信号、を伝えるために指定された、少なくとも、いくつかのシンボルと、トラフィック送信要求応答の信号、例えばＲＸエコー信号、を伝えるために指定された、少なくとも、いくつかのシンボルを含む。
【００１７】
図２００は、さらに、ユーザ・スケジューリング部分２１２の間に生じる、典型的な第１のタイプのＯＦＤＭシンボル２２０と、トラフィック部分２１６の間に生じる、典型的な第２のタイプのＯＦＤＭシンボル２２２の特性を示す。典型的な第１のタイプのＯＦＤＭシンボル２２０は、第１のトーン間隔２２４と第１のシンボル期間２２６を持つ。典型的な第２のタイプのＯＦＤＭシンボル２２２は、第２のトーン間隔２２８と第１のシンボル期間２３０を持つ。種々の実施例において、第１のトーン間隔は、第２のトーン間隔よりも、例えば少なくとも４倍、大きい。種々の実施例において、第２のシンボル期間の持続時間は、第１のシンボル期間の持続時間よりも、例えば５倍、長い。２つの典型的なＯＦＤＭシンボルが示されるが、制御期間２１３において、複数個の第１のタイプのＯＦＤＭシンボルが存在し、データ送信インターバル２１７において、複数個の第２のタイプのＯＦＤＭシンボルが存在することが、理解されるべきである。
【００１８】
いくつかの実施例において、送信要求、または、送信要求への応答を伝えるシンボルのために使用されるシンボル期間に相当する、シンボル期間２２６は、ユーザ・トラフィック信号を伝えるシンボルのために使用される、シンボル期間２３０よりもはるかに大きい。１個の典型的な実施例において、第１のタイプのＯＦＤＭシンボル２２０は、６．５μ秒の期間的なプリフィックス部分と、６．５μ秒のＦＦＴ部分を含み、第２のタイプのＯＦＤＭシンボル２２２は、６．５μ秒の期間的なプリフィックス部分と、１００μ秒以上のＦＦＴ部分を含む。いくつかの実施例において、第１のタイプのＯＦＤＭシンボル２２０は、３２個のトーンを含み、第２のタイプのＯＦＤＭシンボルは、１２８個、または、５１２個のトーンを含む。
【００１９】
種々の実施例において、制御期間２１３は、データ送信インターバル２１７より、はるかに短い。種々の実施例において、制御期間２１３の送信要求インターバルは、トラフィック期間２１７よりも、はるかに短い。例えば、トラフィックインターバルは、制御期間２１３の送信要求インターバルよりも、少なくとも１０倍は長い。
【００２０】
図３は、種々の実施例、例えば、第１のデバイスが、スロットにおいてトラフィックを送信したいが、第２のデバイスはしたくない状況下、または、両方のデバイスがトラフィックを送信することを要求し得るが、第１のデバイスに優先権がある状況下、に従って、ピア・ツー・ピア・トラフィックをサポートするための、ピア・ツー・ピアモバイル通信デバイス（３０２、３０４）と、デバイス（３０２、３０４）の間で交換される典型的なシグナリングを示す図３００である。通信デバイス（３０２，３０４）は、図１の任意のピア・ツー・ピア無線端末であり得る。この例において、ピア・ツー・ピア・モバイル・デバイス１  ３０２は、ピア・ツー・ピア・モバイル・デバイス２  ３０４に、トラフィック信号を送信することを要求する。線３０１は、時間を示し、ユーザのスケジューリング部分３１０があり、次いで、レート・スケジューリング部分３１６があり、次いで、トラフィック部分３２０があり、次いで、肯定応答部分３２４がある。
【００２１】
ユーザのスケジューリング部分３１０の間に、ピア・ツー・ピア・モバイル・デバイス１  ３０２は、要求信号３０６を発生し、送信する。ピア・ツー・ピア・モバイル・デバイス２  ３０４は、要求信号３０６の所期の受信において、要求信号３０６を受信し、信号を処理し、要求を考慮し、それが要求を認める場合には、ＲＸエコー信号３０８を送る。もしそれが要求を認めない場合には、ピア・ツー・ピア・モバイル・デバイス２  ３０４は、応答を送らない。
【００２２】
レート・スケジューリング部分３１６の間に、ピア・ツー・ピア・モバイル・デバイス１  ３０２は、パイロット信号３１２を送る。ピア・ツー・ピア・モバイル・デバイス２  ３０４は、パイロット信号３１２を受信し、受信した信号の強度を測定し、レート情報信号３１４を発生する。ピア・ツー・ピア・モバイル・デバイス１  ３０２が、その次のトラフィック部分３２０の間に使用される、最大の許容できるデータ・レートを決定し得るために、レート情報信号３１４は、例えば、レート、ＳＮＲ値、干渉値、および／または、ＳＩＲ値を通信する。ピア・ツー・ピア・モバイル・デバイス２  ３０４は、ピア・ツー・ピア・モバイル・デバイス１  ３０２に対して、発生されたレート情報信号３１４を送信する。
【００２３】
ピア・ツー・ピア・モバイル・デバイス１  ３０２は、レート情報信号３１４を受信し、トラフィック部分３２０のために使用される、最大の許容される送信レートを決定する。ピア・ツー・ピア・モバイル・デバイス１  ３０２は、決定された最大の許容される送信レートの関数として、使用する実際のデータ・レートを決定する。ここにおいて、実際のデータ・レートは、最大の許容される送信レートより小さいか、または、同じである。種々の実施例において、ピア・ツー・ピア・モバイル・デバイス１  ３０２は、トラフィックのために使用する実際の送信データ・レートを決定するにあたって、（ｉ）通信されるのを待っているトラフィック・データの量、（ｉｉ）その電力状態、例えば、残っているバッテリーの電力、および／または、動作モード等を、さらに考慮する。
【００２４】
ピア・ツー・ピア・モバイル・デバイス１  ３０２は、トラフィック部分３２０の間に、トラフィック信号３１８を発生し、送信する。トラフィック信号は、決定された実際のデータ・レートで、データを通信する。いくつかの実施例において、トラフィック信号は、さらに、実際のデータ・レートの指示を伝える。１つのそのような実施例において、レート情報は、トラフィック資源のために割り当てられている資源のサブセットを使用して通信されていて、例えば、トラフィック資源は、第１の部分、例えば、レート情報を伝えるために割り当てられている第１の組のＯＦＤＭトーン・シンボルと、第２の部分、例えばユーザ・データを伝えるために割り当てられている第２の組のＯＦＤＭトーン・シンボルを含み、ここにおいて、第１と第２の部分はオーバーラップしていない。別の、そのような実施例において、レート情報は、トラフィックを伝えるのと同じ資源、を使用して通信され、例えば、レート情報はトラフィック信号を伝える変調シンボルの送信電力の変更を介して通信され、例えば、トラフィックを伝えるいくつかのＯＦＤＭトーン・シンボルは、第１の電力レベルに調整され、他は、第２の電力レベルに調整され、レート情報は、どの場所がどのレベルに調整されるのかにより、通信される。
【００２５】
ピア・ツー・ピア・モバイル・デバイス２  ３０４は、トラフィック部分３２０において、トラフィック信号３１８を受信し、通信されているデータを復元する。いくつかの実施例において、レート情報は、また、トラフィック・データと共に通信される。いくつかの実施例において、ピア・ツー・ピア・モバイル・デバイス２  ３０４は、通信された、通信レート情報を復元し、次いで、トラフィック・データ信号を復号する。ピア・ツー・ピア・モバイル・デバイス２  ３０４は、トラフィック信号３１８の通信されたデータが成功裡に復元されたか否かを決定し、肯定または否定の応答を発生する。
【００２６】
肯定応答部分３２４の間において、ピア・ツー・ピア・モバイル・デバイス２  ３０４は、ピア・ツー・ピア・モバイル・デバイス１  ３０２に対して、発生したＡＣＫ信号３２２を、送信する。ピア・ツー・ピア・モバイル・デバイス１  ３０２は、ＡＣＫ信号３２２を受信し、ＡＣＫ信号３２２により伝えられる情報に基づいて、送信キューの情報を更新する。
【００２７】
ピア・ツー・ピア・モバイル・デバイス１  ３０２が、ＲＸエコー信号を受信しないか、または、その後に送信を続けないことを決定する場合には、デバイス３０２は、パイロット信号３１２を送信しないし、このトラフィック・スロットに関する動作を終了し得ることを注意されたい。同様に、ピア・ツー・ピア・モバイル・デバイス２  ３０４は、それが、要求信号３０６を受信した後に、送信を続けないことを決定する場合には、モバイル・デバイス３０４は、ＲＸエコー信号を送信しないし、このトラフィック・スロットに関する動作を終了し得る。
【００２８】
この処理は、追加のトラフィック・スロット、例えばピア・ツー・ピア・モバイル・デバイス１  ３０２のトラフィック送信の要求の機能、について繰り返される。
【００２９】
図３に説明されたシグナリング交換の間の異なる時間において、ピア・ツー・ピア・デバイス（３０２，３０４）は、異なる特徴のＯＦＤＭシンボルを利用することを注目されたい。例えば、デバイス１  ３０２により発生され、送信され、デバイス２  ３０４により受信され、処理される要求信号３０６は、第１のタイプのＯＦＤＭシンボル、例えば第１のタイプのＯＦＤＭシンボル２２０、を用いる。この例について続けると、デバイス２  ３０４により発生され、送信され、デバイス１  ３０２により受信され、処理されるＲＸエコー信号３０８は、また、第１のタイプのＯＦＤＭシンボルを用いる。しかしながら、デバイス１  ３０２により発生され、デバイス２  ３０４により受信され、処理されるトラフィック信号３１８は、第２のタイプのＯＦＤＭシンボル、例えば第２のタイプのＯＦＤＭシンボル２２２、を用いる。
【００３０】
図４は、ピア・ツー・ピア繰り返しタイミング構造における、典型的な ユーザ・スケジューリング部分、および、ユーザ・スケジューリング部分の無線リンク資源の典型的な区画を示している図４００である。典型的なユーザ・スケジューリング部分４０２は、例えば、図２のユーザ・スケジューリング部分２１２、または、図３のユーザ・スケジューリング部分３１０である。ユーザ・スケジューリング部分４０２は、送信要求（ＴＸ要求）信号、例えば図３の信号３０６、を伝えるように指定されている、送信要求部分４０４と、ＲＸエコー信号、例えば図３のエコー信号３０８、を伝えるように指定されている、要求応答部分４０５を含む。ブロック４５０は、ＴＸ要求信号を伝えるために使用される無線リンク資源、例えばＯＦＤＭトーン・シンボルを表し、ブロック４５２は、ＲＸエコー信号を伝えるために使用される無線リンク資源、例えばＯＦＤＭトーン・シンボルを表す。横軸４０６は、ブロック（４５０，４５２）に相当する時間を表し、縦軸４０８は、ブロック（４５０，４５２）に相当する周波数、例えばＯＦＤＭトーン、を表す。
【００３１】
ＴＸ要求部分４０４は、多くのミニＴＸ要求スロット（ミニＴＸ要求スロット１  ４１０、ミニＴＸ要求スロット２  ４１２、ミニＴＸ要求スロット３  ４１４、ミニＴＸ要求スロット４  ４１６、ミニＴＸ要求スロット５  ４１８、ミニＴＸ要求スロット６  ４２０、ミニＴＸ要求スロット７  ４２２、ミニＴＸ要求スロット８  ４２４、ミニＴＸ要求スロット９  ４２６、ミニＴＸ要求スロット１０  ４２８）を含むように、スライスされていることが、認められ得る。同様に、ＲＸエコー部分４０５として、別に指される送信要求応答部分は、多くのミニＲＸエコー・スロット（ミニＲＸエコー・スロット１  ４３０、ミニＲＸエコー・スロット２  ４３２、ミニＲＸエコー・スロット３  ４３４、ミニＲＸエコー・スロット４  ４３６、ミニＲＸエコー・スロット５  ４３８、ミニＲＸエコー・スロット６  ４４０、ミニＲＸエコー・スロット７  ４４２、ミニＲＸエコー・スロット８  ４４４、ミニＲＸエコー・スロット９  ４４６、ミニＲＸエコー・スロット１０  ４４８）にスライスされている。送信要求、または、要求応答を伝えるＯＦＤＭシンボルを運ぶために使用されるミニ・スロットの持続期間は、ピア・ツー・ピア・トラフィック信号を運ぶために使用されるＯＦＤＭシンボル送信時間インターバルの持続期間よりも短い。
【００３２】
周波数に関して、無線リンク資源ブロック（４５０，４５２）は、また、多くの隣接するＯＦＤＭのインデックスをつけられたトーン（トーン０、トーン１、トーン２、トーン３、トーン４、トーン５、トーン６、トーン７)に、細分される。１つの特徴に従うと、ＴＸ要求、または、エコー信号を伝えるために使用されるＯＦＤＭシンボルにおけるトーンのトーン間隔は、ピア・ツー・ピア・トラフィック・チャネル信号伝えるために使用されるトーン間隔よりも大きい。
【００３３】
典型的なＷＴ１が、典型的なＷＴ２とのピア・ツー・ピア接続を持つことを考慮する。典型的なトーン・シンボル４５４が、相当するピア・ツー・ピア・トラフィックインターバルにおいて、ピア・ツー・ピア・トラフィック信号を送信することを要求する、ＷＴ１からＷＴ２へのＴＸ要求信号を伝えるために、指定される。同様に、典型的なトーン・シンボル４５６が、要求への応答において、ＷＴ２からＷＴ１へのＲＸエコー信号を伝えるために指定される。ミニ・スロットの概念を利用することにより、ＷＴ１は、ミニＴＸスロット２ ４１２の間において、送信モードで、動作し得るが、他のミニ・スロットの間には、受信モードで動作し得る。同様に、ＷＴ２は、ミニＲＸエコー・スロット２  ４３２の間は、送信モードで動作し得るが、他のミニ・スロットの間は、受信モードで動作し得る。このように、ユーザ・スケジューリング部分４０２に関して、この例に対し、ＷＴ１は、ミニＴＸ要求スロット２  ４１２の短い持続の間において、送信モードであることだけを必要とする。同様に、ユーザ・スケジューリング部分４０２に関して、この例に対し、ＷＴ２は、ミニＲＸ要求スロット２  ４３２の短い持続時間の間において、送信モードであることだけを必要とする。
【００３４】
制御インターバルの間において、無線端末のために、送信時間を最小化することは有益である。種々の実施例において、無線端末は、与えられた時刻において、送信モード、または、受信モードであり得る。このように、送信している時は、無線端末は聞くことができない。無線端末が、接続を持ち、同じピア・ツー・ピア・トラフィック資源に相当する、送信要求、および／または、送信要求応答のシグナリングであり得るデバイスを、聞くことができることは有益である。他のデバイスのシグナリングを聞き得ることにより、無線端末は、干渉の考慮に気付き得る。そのような干渉の考慮は、トラフィック送信資源、例えばトラフィックのセグメントを、明け渡すか否かを決定するために、使用され得るし、時には、使用される。
【００３５】
無線リンク資源ブロック４５０の各々のＯＦＤＭトーン・シンボルは、１組の接続されているピア・ツー・ピア無線端末のための一方向に相当する、送信要求と関連付けられていることを、考慮する。図４の例において、７０個のＯＦＤＭトーン・シンボルが存在する。７０個の各々の１個は、１組の接続されている無線端末のための、一方向に送信する要求に相当する可能性のある、トラフィック要求と関連付けられ得る。ＷＴ２に対するその要求のために、ＯＦＤＭトーン・シンボル４５４が割り当てられている、無線端末１は、任意の６個の他のＯＦＤＭシンボル・ミニＴＸ要求スロット２  ４１２から、同時に送信されている要求を監視し得ない。しかしながら、ＷＴ１は、任意の他の６３個のミニ・スロット（４１０，４１４，４１６、４１８、４２０，４２０、４２２、４２４，４２６、４２８）のＯＦＤＭトーン・シンボルに相当する、送信されている要求を監視し得る。その要求応答の信号、ＷＴ１に対するＲＸエコー、のためにトーン・シンボル４５６が割り当てられている無線端末２は、任意の６個の他のＯＦＤＭシンボル・ミニＴＸ要求スロット２  ４３２から、同時に送信されているＲＸエコーを監視し得ない。しかしながら、ＷＴ２は、任意の他の６３個のミニ・スロット（４３０，４３４，４３６、４３８、４４０，４４２、４４４，４４６、４４８）のＯＦＤＭトーン・シンボルに相当する、送信されている要求を監視し得る。
【００３６】
したがって、認められ得るように、制御期間を短い時間期間に分割することは、無線端末が他の制御シグナリング送信を聞くことを可能にし、１個のサブ・インターバル、例えば、ミニ・スロットにおけるユーザの数を最小化するのに役立つ。
【００３７】
図５は、種々の実施例に従って、第２の通信デバイスと通信するための、第１の通信デバイスの動作の典型的な方法のフローチャート８００である。第１と第２の通信デバイスは、例えば、ピア・ツー・ピア無線通信デバイスである。開始ステップ８０２からステップ８０４まで動作が進み、ここにおいて、第１の通信デバイスは、それが、第２の通信デバイスに対して送信したいデータ、例えばトラフィック・データ、を持つか否かを決定する。第１のデバイスが、送信したいデータを持つことを決定すると、その時、動作はステップ８０４から８０６に進む。そうでない場合には、動作は、ステップ８０４からステップ８０４に戻って、例えば、そこにおいて、それが、別のトラフィック・スロットのために、別のデータの送信決定をするようにして、続く。
【００３８】
ステップ８０６において、第１のデバイスは、制御期間の間に、第１のシンボル期間を持つ第１のシンボル上で、第２の通信デバイスに、第１の制御信号を送信する。いくつかの実施例において、第１の信号は送信要求である。動作は、ステップ８０６から８０８へと進む。ステップ８０８において、その間には、前記第１のデバイスが送信することを許可されていない、前記制御期間において、いくつかの第１のシンボル時間期間の間に、第１のデバイスは、他のデバイスからの信号を監視する。種々の実施例において、監視することは、第２のデバイスからの信号を検出することである。動作は、ステップ８０８からステップ８１０へと進む。ステップ８１０において、第１のデバイスは、そこから監視された信号が受信されたデバイスに対して、第１のデバイスにより引き起こされ得る干渉の量を決定する。動作は、ステップ８１０からステップ８１２へと進む。
【００３９】
ステップ８１２において、第１のデバイスは、干渉決定を閾値と比較し、その比較に基づいて進む。ステップ８１０の決定された干渉が、閾値レベルよりも低い場合には、その時、動作は、ステップ８１２からステップ８１４へと進む。しかしながら、干渉が閾値よりも低くない場合には、その時、ステップ８１２からステップ８０４へと動作は進む。
【００４０】
ステップ８１４に戻ると、ステップ８１４において、第１の通信デバイスは、第１と第２のシンボル期間が異なっている、第２のシンボル期間を持つ第２のシンボル上で、第２の通信デバイスに対して、ユーザ・データを送信する。種々の実施例において、第２のシンボル期間は、第１のシンボル期間よりも長い。いくつかの、そのような実施例において、第２のシンボル期間は、第１のシンボル期間よりも、少なくとも５倍は長い。種々の実施例において、第１のシンボルは、第１の複数の隣接するトーンの１個を含み、第２のシンボルは、第２の複数の隣接するトーンの１個を含み、前記第１の複数の隣接するトーンにおけるトーンは、前記第２の複数のトーンにおけるトーンよりも、周波数において、さらに間隔が離れている。いくつかの実施例において、第１と第２のシンボルは、ＯＦＤＭシンボルである。動作はステップ８１４から、ステップ８０４へと進み、そこにおいて、第１のデバイスが、別のトラフィック・スロットのための、別のデータ送信の決定を行う。
【００４１】
いくつかの実施例において、送信された第１の制御信号は、前記第２のシンボル時間期間を含むデータ送信インターバルの間に、送信する要求である、送信要求である。いくつかの実施例において、第１のシンボルは、複数のシンボル期間を含む制御期間内において生じ、前記第１のデバイスは、前記制御期間の間では、前記複数のシンボル期間のサブセットにおいてのみ、送信することを許可されていて、前記サブセットは、前記制御期間におけるシンボル期間のせいぜい半分に相当する。種々の実施例において、第１のシンボルは、複数の第１のシンボル期間を含む制御期間内において生じ、前記第１のデバイスは、前記制御期間の間では、前記複数の第１のシンボル期間のサブセットにおいてのみ、送信することを許可されていて、前記サブセットは、前記制御期間における第１のシンボル期間の３分の１未満に相当する。
【００４２】
図６は、典型的な第１の通信デバイス９００、例えばピア・ツー・ピア通信をサポートするモバイル・ノード、の図である。典型的な第１の通信デバイス９００は、第２の通信デバイス、例えば別のピア・ツー・ピア通信デバイス、と通信する。典型的なピア・ツー・ピア通信デバイス９００は、その上で種々の要素がデータと情報をやり取りし得る、バス９１２を経由して、お互いに結合されている、無線受信機モジュール９０２、無線送信機モジュール９０４、ユーザＩ／Ｏデバイス９０８、プロセッサ９０６、および、メモリ９１０を含む。
【００４３】
無線受信機モジュール９０２、例えばＯＦＤＭ受信機は、それを経由して第１の通信デバイス９００が、通信デバイス、例えば他のピア・ツー・ピア通信デバイス、からの信号を受信する、受信アンテナ９１４と結合されている。無線受信機モジュール９０２は、制御情報を通信する第１のタイプのシンボル、および、ユーザ・データを通信する第２のタイプのシンボルを受信する。
【００４４】
無線送信機モジュール９０４、例えばＯＦＤＭ送信機は、それを経由して第１の通信デバイス９００が、他のデバイスに対して、例えば他のピア・ツー・ピア通信デバイスに対して、信号を送信する、送信アンテナ９１６と結合されている。無線送信機モジュール９０４は、制御情報を通信する第１のタイプのシンボルと、ユーザ・データを通信する第２のタイプのシンボルを送信する。
【００４５】
ユーザＩ／Ｏデバイス９０８は、例えば、マイクロフォン、キーボード、キーボード・スイッチ、マウス、スピーカ、ディスプレイ等を含む。ユーザＩ／Ｏデバイス９０８は、第１の通信デバイス９００のユーザが、データ／情報を入力し、出力データ／情報をアクセスし、第１の通信デバイス９００の少なくともいくつかの機能を制御することを可能にする。
【００４６】
メモリ９１０は、ルーチン９１８、および、データ／情報９２０を含む。プロセッサ９０６、例えばＣＰＵは、ルーチン９１８を実行し、第１の通信デバイス９００の動作を制御し、方法、例えば図５のフローチャート８００の方法、を実行するために、メモリ９１０におけるデータ／情報９２０を使用する。
【００４７】
ルーチン９１８は、通信ルーチン９２２と無線端末制御ルーチン９２３を含む。通信ルーチン９２２は、第１の通信デバイス９００により使用される、種々の通信プロトコルを実行する。無線端末制御ルーチン９２４は、第１のタイプのシンボル発生モジュール９２６、第２のタイプのシンボル発生モジュール９３０、監視モジュール９３２、干渉決定モジュール９３４、および、閾値決定モジュール９３６を含む。第１のシンボル・タイプ発生モジュール９２６は、送信要求信号発生モジュール９２８を含む。
【００４８】
データ／情報９２０は、記憶されているタイミング／周波数構造の情報９３８、発生された送信要求シンボル９５２、検出された監視されている要求応答の信号９５６、決定された監視情報９５８、記憶されている閾値レベル９６０、閾値比較決定結果９６２、および、発生されたトラフィック・データ・シンボルを含む。
【００４９】
記憶されているタイミングと周波数構造の情報９３８は、記憶されているタイミング構造の情報９４０と記憶されている周波数構造の情報９４２を含む。記憶されているタイミング構造の情報９４０は、制御期間の情報９４４とトラフィック送信インターバルの情報９４６を含む。記憶されている周波数構造の情報９４２は、制御期間の情報９４８とトラフィック送信インターバルの情報９５０を含む。発生された送信要求シンボル９５２は、発生された単一トーン送信要求信号９５４を含む。
【００５０】
第１のタイプのシンボル発生モジュール９２６は、制御情報を通信するために使用される第１のタイプのシンボルを発生する。第１のタイプのシンボルは第１のシンボル期間を持つ。第２のタイプのシンボル発生モジュール９３０は、第２のタイプのシンボルを発生する。第２のタイプのシンボルは第２のシンボル期間を持ち、前記第１と第２のシンボル期間は異なっている。種々の実施例において、第２のシンボル期間は、第１のシンボル期間よりも長い。いくつかの、そのような実施例において、第２のシンボル期間は、第１のシンボル期間よりも、少なくとも５倍は長い。いくつかの実施例において、第１のタイプのシンボル、および、第２のタイプのシンボルは、両方ともＯＦＤＭシンボルである。
【００５１】
種々の実施例において、第１のタイプのシンボルは、第１の複数の隣接するトーンの１個を含み、第２のタイプのシンボルは、第２の複数の隣接するトーンの１個を含み、上記第１の複数の隣接するトーンにおけるトーンは、上記第２の複数の隣接するトーンにおけるトーンよりも、周波数において、さらに間隔が離されている。
【００５２】
送信要求信号発生モジュール９２８は、単一トーンの送信要求信号を発生する。いくつかの実施例において、単一トーンの送信要求信号は、第２のシンボル送信の時間期間を含むデータ送信インターバルの間に、送信する要求である。例えば、データ送信インターバルは、第２のタイプのシンボルを使用して通信される、ピア・ツー・ピア・トラフィック・セグメント、および、ピア・ツー・ピア・トラフィック・セグメント信号を含む。
【００５３】
監視モジュール９３２は、前記第１の通信デバイスが送信することを許可されていない間の、前記制御期間における、いくつかのシンボル送信の時間期間の間に、他のデバイスからの信号を監視する。例えば、監視モジュール９３２は、第１のデバイスが、進行中のピア・ツー・ピア接続を持つ、第２のデバイスからの信号、例えばＲＸエコー信号のような送信要求応答の信号、を検出するために監視する。
【００５４】
干渉決定モジュール９３４は、そこから監視された信号が受信されたデバイスに対して、第１の通信デバイスにより引き起こされ得る干渉の量を決定する。閾値決定モジュール９３６は、第２の信号上でユーザ・データを送信するのに先立って、監視されている信号が受信された前記デバイスに対して、第１の通信デバイスにより引き起こされ得る干渉が、送信するか否かを決定するために使用される、閾値レベル以下であることを調べる。
【００５５】
記憶されているタイミング／周波数構造の情報９３８は、記憶されているタイミング構造の情報９４０、および、記憶されている周波数構造の情報９４２を含む。記憶されているタイミング構造の情報９４０は、制御期間の情報９４４、および、トラフィック送信インターバルの情報９４６を含む。制御期間の情報９４４は、第１のシンボル期間の時間持続を示す情報、制御期間における第１のシンボル期間の数、および、制御期間における複数個の第１のシンボル期間に関連しているインデックス情報を含む。制御期間の情報９４４は、第１のシンボルが、複数のシンボル期間を含む制御期間内において生じ、第１のデバイスが、前記制御期間の間では、前記複数のシンボル期間のサブセットにおいてのみ、送信することを許可されていて、前記サブセットは、前記制御期間におけるシンボル期間のせいぜい半分に相当することを示す情報を含む。いくつかの、そのような実施例において、前記サブセットは、制御期間におけるシンボル期間の３分の１未満に相当する。トラフィック送信インターバルの情報９４６は、第２のシンボル期間の時間持続を示す情報、トラフィック送信時間インターバルにおける第２のシンボル期間の数、および、トラフィック送信インターバルにおける複数個の第２のシンボル期間と関連するインデックス情報を含む。
【００５６】
記憶されている周波数構造の情報９４２は、制御期間情報９４８とトラフィック送信インターバル情報９５０を含む。制御期間の情報９４８は、第１のタイプのシンボルにおけるトーンの数、第１のタイプのシンボルのトーンのためのトーン間隔を識別する情報、第１のタイプのシンボルのトーンに関連するインデックス情報、および、第１のタイプのシンボルに相当するトーンの、隣接するブロックを識別する情報を含む。トラフィック送信インターバル情報９５０は、第２のタイプのシンボルにおけるトーンの数、第２のタイプのシンボルのトーンのためのトーン間隔を識別する情報、第２のタイプのシンボルのトーンに関連するインデックス情報、および、第２のタイプのシンボルに相当するトーンの隣接するブロックを識別する情報を含む。いくつかの実施例において、第１のタイプのシンボルに対応する隣接するトーン・ブロックは、第２のタイプシンボルに対応する隣接するトーン・ブロックと実質的には同じである。
【００５７】
図７は、種々の実施例に従って、第１の通信デバイスと通信するために、第２の通信デバイスを動作させる、典型的な方法のフローチャート１０００である。第１と第２の通信デバイスは、例えば、ピア・ツー・ピア無線通信デバイスである。動作は、ステップ１００２において開始し、ステップ１００４に進む。ステップ１００４において、第２の通信デバイスは、第１のシンボル期間を持つ第１のシンボル上で、第１の通信デバイスから制御信号を受信する。いくつかの実施例において、第１の制御信号は送信要求である。送信要求は、例えば、第１のシンボルの時間間隔とは異なる、第２のシンボルの時間間隔を持つ第２のシンボルを含む、データ送信インターバルの間に、データ、例えばユーザ・データ・トラフィック信号、を送信する要求である。いくつかの実施例において、第１のシンボルは、複数個のシンボル期間を含む制御期間内において生じ、前記第１のデバイスは、前記複数個のシンボル期間の第１のサブセットにおいてだけ、前記制御期間の間において、送信することを許可されていて、前記第１のサブセットは、前記制御期間のシンボル期間のせいぜい半分に相当している。いくつかの、そのような実施例において、前記第１のサブセットは、前記制御期間におけるシンボル期間の３分の１未満に相当する。動作は、ステップ１００４からステップ１００６へと進む。
【００５８】
ステップ１００６において、第２の通信デバイスは、前記第１のデバイスが送信することを許可されない前記制御期間における、いくつかのシンボルの時間期間の間に、前記第１のデバイス以外のデバイスからの信号を監視する。動作は、ステップ１００６から１００８へと進む。ステップ１００８において、第２の通信デバイスは、前記第１のデバイス以外の前記デバイスにより、引き起こされ得る干渉の量を決定する。動作は、ステップ１００８から１０１０へと進む。
【００５９】
ステップ１０１０において、ステップ１００８の決定された干渉が、閾値レベル以下であれば、次に、動作はステップ１０１０から、ステップ１０１２に進む。そこにおいて、第２の通信デバイスは、第１のシンボルの時間期間と等しいシンボルの時間期間を持ち、第１のシンボルの受信の後で、第２のシンボルの受信の前に生じる、第３のシンボル上に肯定応答を送信する。いくつかの実施例において、第３のシンボルが、複数のシンボル期間を含む、前記制御期間内において生じ、第２のデバイスは、前記複数のシンボル期間の第２のサブセットにおける、前記制御期間の間にだけ、送信することを許可され、前記第２のサブセットは、前記制御期間におけるシンボル期間の、ぜいぜい半分に相当する。いくつかの、そのような実施例において、前記第２のサブセットは、前記制御期間におけるシンボルの期間の３分の１未満に相当する、動作は、ステップ１０１２から１０１４へと進み、そこにおいて、第２の通信デバイスは、第１と第２のシンボルの期間が異なり、第２のシンボルの期間を持つ第２のシンボル上で、第１の通信デバイスからユーザ・データを受信する。
【００６０】
いくつかの実施例において、第１と第２のシンボルはＯＦＤＭシンボルである。種々の実施例において、第２のシンボル期間は、第１のシンボル期間よりも長い。いくつかの、そのような実施例において、第２のシンボル期間は、第１のシンボル期間よりも、少なくとも５倍は長い。いくつかの実施例において、第１のシンボルは、第１の複数の隣接するトーンの１個を使用し、第２のシンボルは、第２の複数の隣接するトーンの１個を使用し、第１の複数の隣接するトーンにおけるトーンは、前記第２の複数の隣接するトーンにおけるトーンよりも、周波数において、さらに間隔が離れている。
【００６１】
動作は、ステップ１０１４からステップ１００４へと進み、ここにおいて、第２の通信デバイスが、別のスロット、例えば別のピア・ツー・ピア・トラフィック・スロット、に関係する動作を実行する。
【００６２】
ステップ１０１０にもどって、ステップ１００８の決定した干渉が、閾値レベル以下でない場合には、その時、動作はステップ１０１０からステップ１００４に進み、ここにおいて、第２の通信デバイスが、別のスロット、例えばピア・ツー・ピア・トラフィック信号、に関係する動作を実行する。
【００６３】
図８は、典型的な第２の通信デバイス１１００、例えばピア・ツー・ピア通信をサポートする無線モバイル・ノード、の図である。典型的な第２の通信デバイス１１００は、第１の通信デバイス、例えば別のピア・ツー・ピア通信デバイス、と通信する。典型的な第２のピア・ツー・ピア通信デバイス１１００は、その上で種々の要素がデータと情報をやり取りし得る、バス１１１２を経由して、お互いに結合されている、無線受信機モジュール１１０２、無線送信機モジュール１１０４、ユーザＩ／Ｏデバイス１１０８、プロセッサ１１０６、および、メモリ１１１０を含む。
【００６４】
無線受信機モジュール１１０２、例えばＯＦＤＭ受信機は、それを経由して第２の通信デバイス１１００が、通信デバイス、例えば他のピア・ツー・ピア通信デバイスからの信号を受信する、受信アンテナ１１１４と結合されている。無線受信機モジュール１１０２は、制御信号、および、ユーザ・データ信号を受信する。無線受信機モジュール１１０２は、制御情報を通信する第１のタイプのシンボル、および、ユーザ・データを通信する第２のタイプのシンボルを、受信する。
【００６５】
無線送信機モジュール１１０４、例えばＯＦＤＭ送信機は、それを経由して第１の通信デバイス１１００が、他のデバイスに対して、例えば他のピア・ツー・ピア通信デバイスに対して、信号を送信する、送信アンテナ１１１６と結合されている。無線送信機モジュール１１０４は、第１のシンボルの時間期間と同じシンボル期間を持ち、第１のシンボル、例えば送信要求シンボル、の受信の後で、第２のシンボル、例えばピア・ツー・ピア・ユーザ・データ・トラフィック信号、の受信の前に生じる、第３のシンボル上で、別の通信デバイス、例えば第１の通信デバイス、に対して、発生された送信要求の受理信号、例えばＲＸエコー信号、を送信する。
【００６６】
ユーザＩ／Ｏデバイス１１０８は、例えば、マイクロフォン、キーボード、キーボード・スイッチ、マウス、スピーカ、ディスプレイ等を含む。ユーザＩ／Ｏデバイス１１０８は、第２の通信デバイス１１００のユーザが、データ／情報を入力し、出力データ／情報、および、第２の通信デバイス１１００の、少なくともいくつかの機能の制御することを可能にする。
【００６７】
メモリ１１１０は、ルーチン１１１８、および、データ／情報１１２０を含む。プロセッサ１１０６、例えばＣＰＵは、ルーチン１１１８を実行し、第２の通信デバイス１１００の動作を制御し、方法、例えば図７のフローチャート１１００の方法、を実行するために、メモリ１１１０におけるデータ／情報１１２０を使用する。
【００６８】
ルーチン１１１８は、通信ルーチン１１２２と無線端末制御ルーチン１１２３を含む。通信ルーチン１１２２は、第２の通信デバイス１１００により使用される、種々の通信プロトコルを実行する。無線端末制御ルーチン１１２４は第１のタイプのシンボル復元モジュール１１２６、第２のタイプのシンボル復元モジュール１１３０、肯定応答発生モジュール１１３２、監視モジュール１１３４、干渉決定モジュール１１３６、および、閾値決定モジュール１１３８を含む。第１のシンボル・タイプ復元モジュール１１２６は、送信要求信号復元モジュール１１２８を含む。
【００６９】
データ／情報１１２０は、記憶されているタイミング／周波数構造の情報１１４０を含む。記憶されているタイミング／周波数構造の情報１１４０は、記憶されているタイミング構造の情報１１４２と記憶されている周波数構造の情報１１４４を含む。
【００７０】
第１のタイプのシンボル復元モジュール１１２６は、第１のタイプのシンボルが第１のシンボル期間を持ち、制御情報を通信するために使用される第１のタイプのシンボルを復元する。第２のタイプのシンボル復元モジュール１１３０は、第２のタイプのシンボルが第２のシンボル期間を持ち、第１と第２のシンボル期間が異なっている、ユーザ・データを通信するために使用される第２のタイプのシンボルを復元する。種々の実施例において、第２のシンボル期間は、第１のシンボル期間よりも長い。いくつかの、そのような実施例において、第２のシンボル期間は、第１のシンボル期間よりも、少なくとも５倍は長い。種々の実施例において、第１および第２のシンボルは、ＯＦＤＭシンボルである。
【００７１】
送信要求復元モジュール１１２８は、第１のタイプのシンボル復元モジュール１１２６に含まれていて、送信要求を復元する。種々の実施例において、送信要求は、第２のシンボル期間を含むデータ送信インターバルの間に送信する要求である。データ送信インターバルは、例えば、複数個の第２のタイプのシンボルを伝えるように、指定されている無線リンク資源を含む、ピア・ツー・ピア・トラフィック・データ送信インターバルである。受信された要求は、例えば、データ送信インターバルの間に生じる、ピア・ツー・ピア・トラフィック・セグメントを使用して、第１の通信デバイスから、第２の通信デバイス１１００に対して、ユーザ・データのピア・ツー・ピア・トラフィック信号を、送信することを要求する、第１の通信デバイスから、第２の通信デバイス１１００への要求である。
【００７２】
肯定応答発生モジュール１１３２は、送信要求の受理信号、例えばＲＸエコー信号、を発生する。監視モジュール１１３４は、第１の通信デバイスが送信することを許可されない間の、前記制御期間における、いくつかのシンボルの時間期間の間に、第１の通信デバイス以外の、他のデバイスからの信号を監視する。干渉決定モジュール１１３６は、前記第１の通信デバイス以外のデバイスにより引き起こされる得る干渉の量を決定する。このように、干渉決定モジュール１１３６は、第１の通信デバイスから第２の通信デバイスへの、ピア・ツー・ピア通信に対する、他のデバイスからの干渉の推定量を決定する。
【００７３】
閾値決定モジュール１１３８は、そこから監視される信号が受信されていた、前記第１のデバイス以外のデバイスにより、引き起こされ得る干渉が、肯定応答を送信するかどうかを決定するために使用される閾値レベル以下であるかどうかを、第３のシンボル上に肯定応答を送信するのに先立って、決定する。種々の実施例において、送信要求信号を第２の通信デバイス１１００に送信した第１の通信デバイスへの、肯定応答を送信することを意図的にやめることは、要求の拒否である。
【００７４】
記憶されているタイミング構造情報１１４２は、第１のタイプのシンボル情報１１４６と第２のタイプのシンボル情報１１４８を含む。第１のタイプのシンボル情報１１４６は、制御期間１１５０における要求シンボルを識別する情報、および、制御期間１１５２における応答シンボルを識別する情報を含む。要求と応答シンボルは、両方とも第１のタイプのシンボルであり、制御情報を通信する。第１のタイプのシンボル情報１１４６は、また、第１のタイプのシンボルのために使用される第１のシンボル期間の持続を識別する情報を含む。第２のタイプのシンボル情報１１４８は、第２のシンボル期間の持続を識別する情報を含む。種々の実施例において、第２のシンボル期間は、第１のシンボル期間より、少なくとも５倍は長い。
【００７５】
記憶されている周波数構造の情報１１４４は、第１のタイプのシンボル情報１１５４、および、第２のタイプのシンボル情報１１５６を含む。第１のタイプのシンボル情報１１５４は、第１のタイプのシンボルのために使用される、第１の複数個の隣接するトーン、例えばＯＦＤＭトーン、を識別する情報を含む。第２のタイプのシンボル情報１１５６は、第２のタイプのシンボルのために使用される、第２の複数個の隣接するトーン、例えばＯＦＤＭトーン、を識別する情報を含む。種々の実施例において、第１の複数個のトーンにおけるトーンは、第２の複数個のトーンにおけるトーンよりもさらに間隔が離れている。
【００７６】
ＯＦＤＭシステムのコンテキストに説明されているが、種々の実施例の方法と装置は、多くの、ＯＦＤＭではない、および／または、携帯ではないシステムを含む、広い範囲の通信システムに適用できる。いくつかの典型的なシステムは、ピア・ツー・ピア・シグナリング、例えば、いくつかのＯＦＤＭタイプの信号といくつかのＣＤＭＡタイプの信号、において利用される技術の混合を含む。
【００７７】
種々の実施例において、ここに説明されているノードは、例えば、第１のシンボル期間と第２のシンボル期間が異なっていて、第１のシンボル期間を持つ第１のシンボルにおいて、第２の通信デバイスに第１の制御信号を送信し、第２のシンボル期間を持つ第２のシンボル上で、第２の通信デバイスにユーザ・データを送信し、他のデバイスからの信号を監視し、干渉の量を決定し、決定した干渉を閾値レベルと比較する等、１個以上の方法に相当するステップを実行するために、１個以上のモジュールを使用して実現される。いくつかの実施例において、種々の特徴が、モジュールを使用して実現される。そのようなモジュールは、ソフトウェア、ハードウェア、または、ソフトウェアとハードウェアの組合せとして実現される。上記の方法、または、方法のステップの多くは、例えば１個以上のノードにおける、上記方法の全て、または、一部を実現するために、機械、例えば追加のハードウェアを含む、または、含まない汎用コンピュータ、を制御するために、メモリ・デバイス、例えば、ＲＡＭ、フロッピー（登録商標）ディスク等、のような機械可読媒体に含まれるソフトウェアのような、機械実行可能な命令を用いて実行され得る。従って、他の物の中で、種々の実施例は、機械、例えばプロセッサと関連付けられたハードウェア、に上記方法の１個以上のステップを実行させるための機械実行可能な命令を含む機械可読媒体に向けられている。
【００７８】
いくつかの実施例において、１個以上のデバイス、例えば無線端末のような通信デバイスの、１個のプロセッサ、または、複数個のプロセッサ、例えば、ＣＰＵは、通信デバイスにより実行されるように説明されている方法の、ステップを実行するように構成されている。従って、全てではないが、いくつかの実施例は、プロセッサが含まれているデバイスにより実行される、種々の説明された方法の、各々のステップに相当するモジュールを含む、プロセッサを持つデバイス、例えば通信デバイス、に向けられている。全てではないが、いくつかの実施例において、デバイス、例えば通信デバイス、はプロセッサが含まれているデバイスにより実行される、種々の説明されている方法の、各々のステップに相当するモジュールを含む。モジュールは、ソフトウェア、および／または、ハードウェアを用いて実行され得る。
【００７９】
上記の方法と装置における、多くの追加の変更は、上述を考慮することにより、当該業者にとって、明白であり得る。そのような変更は、範囲内として考慮されるべきである。アクセス・ノードとモバイル・ノードの間の、無線通信リンクを提供するために使用され得る、ＣＤＭＡ，直交周波数分割多重（ＯＦＤＭ）、および／または、種々の他のタイプの通信技術と共に、種々の実施例の方法と装置は使用され得るし、種々の実施例は使用されている。いくつかの実施例において、アクセス・ノードは、ＯＦＤＭおよび／またはＣＤＭＡを使用して、モバイル・ノードとの通信リンクを確立する、基地局として実現される。種々の実施例において、モバイル・ノードは、種々の実施例の方法を実現するために、受信機／送信機の回路、および、ロジックおよび／またはルーチンを含む、ノートブック・コンピュータ、個人情報端末（ＰＤＡｓ）または、他の移動デバイスとして実現される。
【図１】
2011502422.tif 000003
【図２】
2011502422.tif 000004
【図３】
2011502422.tif 000005
【図４】
2011502422.tif 000006
【図５】
2011502422.tif 000007
【図６】
2011502422.tif 000008
【図７】
2011502422.tif 000009
【図８】
2011502422.tif 000010
【国際調査報告】
2011502422.tif 000011
2011502422.tif 000012
2011502422.tif 000013